(57)【特許請求の範囲】
【請求項１】
投入された硬貨を識別し金種別に積み重ねて収納する硬貨収納カセットを着脱自在に備えた硬貨処理装置において、
前記硬貨収納カセットは、金種別に硬貨を積重して収容するとともに所定枚数の硬貨を残すための最下層部を有する複数のチューブと、前記複数のチューブの最下層部を残して当該チューブを半割状に開放可能に覆う蓋体部と、前記複数のチューブの最下層部において前記蓋体部と隣接してその下方に半割状に構成され、上下方向にスライド移動可能に構成された下部移動体部と、備え、
前記蓋体部は支軸を介して回動することにより前記複数のチューブを開閉し、前記下部移動体部は前記蓋体部と連動して上下方向に移動することにより前記複数のチューブの最下層部を開閉することを特徴とする硬貨処理装置。
【請求項２】
前記蓋体部は前記複数のチューブの本体側に設けられた係合部材と係合して前記複数のチューブを閉塞状態に保持する係合保持部を備え、前記支軸が前記下部移動体部に回動自在に支持され、前記複数のチューブを閉塞した状態で前記下部移動体部と連動して上下方向に移動可能に設けられ、前記蓋体部と連動する前記下部移動体部が前記複数のチューブの最下層部に位置するとき、前記係合保持部と前記係合部材との係合を解除し、前記支軸を介して回動することにより前記複数のチューブを開放可能に構成することを特徴とする請求項1に記載の硬貨処理装置。
【発明の詳細な説明】
【技術分野】
【０００１】
本発明は、投入された硬貨を識別し金種別に積重して収容する硬貨収納カセットを備えた硬貨処理装置に関し、特に硬貨収納カセット内の硬貨の回収や、硬貨の補給が可能に構成される硬貨処理装置に関する。
【背景技術】
【０００２】
従来のこのような硬貨処理装置として、先に公開された特開２０１０−１４６３１４号公報（特許文献１）に記載されるような硬貨収容カセット（硬貨収納カセット）を備えた硬貨処理装置が知られている。この特許文献1に記載される硬貨収容カセットは、金種別に硬貨を積層して収容する複数のチューブと、その複数のチューブを半割状に開放可能な回動蓋を備えた硬貨収容カセットであって、その回動蓋は複数のチューブを上下に分割して開閉可能なように上下にそれぞれ回動可能に分けて二つ構成され、さらに、硬貨収容カセット内の硬貨を回収する際に、各々のチューブに積層された硬貨を釣銭用として所定枚数残すために、その下側の回動蓋の高さをその所定枚数の硬貨の積層高さに合わせて形成したものである。そして、これによれば、硬貨回収カセットに収納された硬貨を所定枚数残して回収するときは、上側の蓋を回動してチューブの上側部分を開放し、その上側に露出した硬貨のみを回収し、下側の蓋で覆われている硬貨を残すことで、所望の枚数の硬貨を残すことが簡単にできるというものである。
【先行技術文献】
【特許文献】
【０００３】
【特許文献１】特開２０１０−１４６３１４号公報
【発明の概要】
【発明が解決しようとする課題】
【０００４】
ところで、このような従来の硬貨収容カセットにおいては、その各々のチューブの最下層部が開放不可能な筒状に形成され、さらに、その最下層部に下側の蓋の回動支軸が設けられている。このため、下側の蓋を回動して各チューブを開放してもその最下層部に収容された硬貨を露出することはできない。したがって、硬貨収容カセットの各々のチューブに積層された硬貨を全て回収する場合は、その全体を揺すったり、傾けたりして各チューブの最下層部に収容される硬貨をその上方の開放領域に移動させて取り出す必要があった。そのため、全ての硬貨を回収する場合は手間が掛かるとともに、それらの操作により硬貨が硬貨収容カセットから飛び出して散逸する虞があった。また、硬貨が積層、載置される各チューブの底面が最下層部の奥まった位置にあって清掃し難いため、その汚れにより硬貨詰りが発生する虞があるという問題があった。
【０００５】
本発明は、このような問題に対応するため、硬貨収納カセット（硬貨収容カセット）の各チューブを開放する蓋を備えるとともに、各チューブの最下層部を開放可能にすることにより、全ての収容硬貨の回収を容易にし、また、各チューブの底面を容易に清掃可能にして硬貨詰りを防止することができる硬貨収納カセットを備えた硬貨処理装置を提供することを目的とするものである。
【課題を解決するための手段】
【０００６】
上記課題を解決するため、請求項１に係る発明は、投入された硬貨を識別し金種別に積み重ねて収納する硬貨収納カセットを着脱自在に備えた硬貨処理装置において、前記硬貨収納カセットは、金種別に硬貨を積重して収容するとともに所定枚数の硬貨を残すための最下層部を有する複数のチューブと、前記複数のチューブの最下層部を残して当該チューブを半割状に開放可能に覆う蓋体部と、前記複数のチューブの最下層部において前記蓋体部と隣接してその下方に半割状に構成され、上下方向にスライド移動可能に構成された下部移動体部と、備え、前記蓋体部は支軸を介して回動することにより前記複数のチューブを開閉し、前記下部移動体部は前記蓋体部と連動して上下方向に移動することにより前記複数のチューブの最下層部を開閉するものである。
これによれば、前記硬貨収納カセットを前記硬貨処理装置の本体から取外した後、前記蓋体部を前記支軸を介して回動することにより前記複数のチューブを開放し、その内部に収容される硬貨を露出させて回収し、さらに前記下部移動体部を前記蓋体部と連動させて上方にスライド移動することにより前記複数のチューブの最下層部を開放し、そこに収容される硬貨を回収することができる。また、前記下部移動体部を前記蓋体部と連動させて上方にスライド移動することにより前記複数のチューブの最下層部を開放し、その底面を露出させることができる。
【０００７】
また、請求項２に係る発明は、請求項１に記載の硬貨処理装置において、前記蓋体部は前記複数のチューブの本体側に設けられた係合部材と係合して前記複数のチューブを閉塞状態に保持する係合保持部を備え、前記支軸が前記下部移動体部に回動自在に支持され、前記複数のチューブを閉塞した状態で前記下部移動体部と連動して上下方向に移動可能に設けられ、前記蓋体部と連動する前記下部移動体部が前記複数のチューブの最下層部に位置するとき、前記係合保持部と前記係合部材との係合を解除し、前記支軸を介して回動することにより前記複数のチューブを開放可能に構成するものである。
【０００８】
これによれば、前記下部移動体部が前記複数のチューブの最下層部に位置するとき、前記蓋体部を回動して前記複数のチューブを開放することができる。また、前記下部移動体部を前記複数のチューブの最下層部から上方に移動するとき、前記蓋体部を前記複数のチューブを閉塞する状態に保持することができる。
【発明の効果】
【０００９】
以上説明したように請求項１に係る発明によれば、硬貨収納カセットを硬貨処理装置の本体から取外した後、その蓋体部を支軸を介して回動することにより複数のチューブを開放し、その内部に収容される硬貨を露出させて回収し、さらに下部移動体部を蓋体部と連動させて上方にスライド移動することにより複数のチューブの最下層部を開放し、そこに収容される硬貨を露出して回収することができるから、硬貨収容カセット内に収容される全ての硬貨の回収を容易にすることができる硬貨処理装置を提供することができる。また、下部移動体部を蓋体部と連動させて上方にスライド移動することにより複数のチューブの最下層部を開放し、その底面を露出させることができるから、各チューブの底面を容易に清掃可能にして硬貨詰りを防止することができる硬貨処理装置を提供することができる。
また、請求項２に係る発明によれば、下部移動体部が複数のチューブの最下層部に位置するとき、蓋体部を回動して複数のチューブを開放することができるから、下部移動体部の位置する複数のチューブの最下層部に対応する位置に所定枚数の釣銭硬貨を残してチューブの開放部分に露出する硬貨を容易に回収することができる硬貨処理装置を提供することができる。また、下部移動体部を複数のチューブの最下層部から上方に移動するとき、蓋体部を前記複数のチューブを閉塞する状態に保持して移動することができるから、複数のチューブの最下層部に位置する硬貨を回収するときや、各チューブの底面を清掃する場合に、蓋体部や下部移動体部が本体から外れて紛失するようなことがなく、使い勝手の良い硬貨収容カセットを備えた硬貨処理装置を提供することができる。
【図面の簡単な説明】
【００１０】
【図１】本発明の実施の形態の硬貨収納カセットを備えた硬貨処理装置を示す図であって、（ａ）は外観を示す外観斜視図、（ｂ）は硬貨収納カセットを取り外した状態を示す分解斜視図である。
【図２】本発明の実施の形態の硬貨処理装置に備えられる硬貨収納カセットを背面側から、見た斜視図である。
【図３】本発明の実施の形態の硬貨処理装置に備えられる硬貨収納カセットから硬貨を回収する場合の操作を説明する示す図であって、（ａ）は背面カバーを開放した状態を示す斜視図、（ｂ）は下部移動体部と背面カバーを連動して上方に移動した状態を示す斜視図である。
【発明を実施するための形態】
【００１１】
本発明の実施の形態について図を参照して説明する。図１は、本発明の実施の形態の硬貨収容カセットを備えた硬貨処理装置を示す図であって、（ａ）は外観を示す外観斜視図、（ｂ）は硬貨収納カセットを取り外した状態を示す分解斜視図である。図２は、本発明の実施の形態の硬貨処理装置に備えられる硬貨収納カセットを背面側（硬貨処理装置に取り付けた状態における内側）から、見た斜視図である。図３は、本発明の硬貨処理装置に備えられる硬貨収納カセットの取り扱い説明する示す図であって、（ａ）は背面カバーを開放した状態を示す斜視図、（ｂ）は下部移動体部と背面カバーを連動して上方に移動した状態を示す斜視図である。
【００１２】
図１（ａ）に示すように、この硬貨処理装置１は、硬貨を受け入れる投入口３と、その下方で硬貨を識別する識別部４と、識別された硬貨を一時的に保留する保留部５と、硬貨を収納する着脱可能な硬貨収納カセット７を備えている。このように構成される硬貨識別装置１において、投入口３から投入された硬貨は、識別部４で本物であるかどうかが識別された後、保留部５に一時保留される。ここで、本物でないとして識別された硬貨は、保留部５から図示しない制御部からの振分指令により返却口９を介して外部に返却される。また、識別部４で本物として識別された硬貨は、図示しない制御部からの振分入金指令により、保留部５から硬貨収納カセット７に金種別に振り分けられて収容される。なお、このとき硬貨の返却指令があった場合は、保留部５に一時保留された硬貨が返却口９から外部に返却される。なお、保留部５に一時保留する硬貨を高額硬貨（例えば１００円、５００円）に限定し、他の硬貨（例えば、１０円、５０円）については、識別部４で識別後一時保留せずに、直接に返却口９を介して返却し、あるいは硬貨収納カセット７に金種別に収容しても良い。
【００１３】
図１（ｂ）に示すように、本発明の実施の形態の硬貨処理装置１は、硬貨収納カセット７を着脱自在に備えている。そして、図２に示すようにこの硬貨収納カセット７は、カセット本体部（本体）１１と、カセット本体部１１の背面側を開閉自在に覆う背面カバー部（蓋体部）１２と、背面カバー部１２の下側にカセット本体部１１と対向して上下方向に移動自在に設けられる下部移動体部１３とを備えている。ここで、図３に示すようにカセット本体部１１には、上下方向に延びる複数の半円形の溝１５ａ、１６ａ，１７ａ，１８ａ，１９ａが並列に設けられている。一方、これを覆うように構成される背面カバー部１２および下部移動体部１３にも、カセット本体部１１の溝１５ａ、１６ａ，１７ａ，１８ａ，１９ａと対向するように半円形の溝１５ｂ，１６ｂ，１７ｂ，１８ｂ，１９ｂが形成されている。そして、これらの対向する溝が合わさって、硬貨収容カセット７内に、硬貨を金種別に積重して収納する複数の円筒状のコインチューブ（チューブ）１５〜１９が形成されている。
【００１４】
カセット本体部１１には背面カバー部１２に設けられる後述の係合穴部（係合保持部）２６と係合して、背面カバー部１２をカセット本体部１１の背面を覆う状態に保持する一対の係合爪部（係合部材）２７が背面側に突出して設けられている。なお、係合爪部２７は係合穴部２６を貫通する基端部２７ａと、この基端部２７ａの先端に互いに反対方向（左右側面方向）を向いた爪部２７ｂを備えてなる。また、カセット本体部１１の底部には、各コインチューブ１５〜１９に重積される硬貨が載置されるコイン受部２８が各コインチューブ１５〜１９毎に形成され、さらにその両側面には、下部移動体部１３が最下部に位置するとき、それをカセット本体部１１の背面を覆う状態に保持するアーム部３１が形成されている。また、カセット本体部１１の底部のコイン受部２８の上面側には、その各コイン受部２８に重積される最下位の硬貨を複数まとめて外部に払い出す薄板状の払出板３８が、前後にスライド移動可能に取り付けられている。
【００１５】
背面カバー部１２には、カセット本体部１１の係合爪部２７と係合する一対の係合穴部２６が設けられている。この係合穴部２６は、係合爪部２７が係合された状態で、背面カバー部１２がカセット本体部１１を覆って上下にスライド可能なように、縦長に形成されている。なお、一対の係合穴部２６の互いに内側に張り出して形成された上部開口２６ａは、係合爪部２７の爪部２７ｂの幅より幅広に形成され、その係合穴部２６の上部開口２６ａに係合爪部２７が位置するとき、爪部２７ｂが上部開口２６ａに対峙するように一対の係合爪部２７を内側に撓ませることによりそれらの係合が解除できるように構成されている。また、背面カバー部１２の下部両側には、その下方に設けられる下部移動体部１３に支持される支軸３２ａを備えたヒンジ部３２が設けられている。
下部移動体部１３は、その両側面において背面カバー部１２の支軸３２ａを回動自在に支持している。また、その両側面の下部には、カセット本体部１１のアーム部３１と係合して、これをカセット本体部１１の最下層部を覆って閉塞し、脱落しないように保持する係合リブ部３５を備えている。
【００１６】
背面カバー部１２と下部移動体部１３は、上述のように上下に隣接して設けられ、背面カバー部１２のヒンジ部３２に設けられた支軸３２ａにより両者が連結されている。そして、これらは協働してカセット本体部１１を覆って、複数のコインコインチューブ１５〜１９を閉塞した状態に保持する。また、これらは連動して上下方向にスライド移動可能に構成されている。
このように構成される硬貨収納カセット７から、所定枚数の釣銭硬貨を内部に残して、硬貨を回収する場合について説明する。先ず、図３（ａ）に示すように、下部移動体１３を複数のコインチューブ１５〜１９の最下層部を閉塞する状態に保持する。このとき下部移動体１３の係合リブ部３５はカセット本体部１１のアーム部３１に係合し、下部移動体部１３はカセット本体部１１に係合されて固定された状態に保持される。また、このときカセット本体部１１に設けられる係合爪部２７は、下部移動体１３と連動する背面カバー部１２の係合穴部２６の上部開口２６ａに位置している。ここで、この係合穴部２６の上部開口２６ａは、上述のように係合爪部２７の爪部２７ｂの幅よりも広く形成されているので、一対に設けられる係合爪部２７をそれぞれ内側に寄せるように撓ませて、係合爪部２７の爪部２７ｂと係合穴部２６の係合を解消する。そして、背面カバー部１２を支軸３２ａを介して手前に回動し、複数のコインチューブ１５〜１９を半割状態で開放する。   ここで、複数のコインチューブ１５〜１９に収納されている硬貨が露出されるから、それらの露出された硬貨を回収する。ここで、複数のコインチューブ１５〜１９の最下層部にあって、下部移動体１３により覆われる硬貨は、露出されないので、回収せずに内部に残せば良い。なお、複数のコインチューブ１５〜１９において下部移動体１３により覆われる部分を、釣銭として内部に残す硬貨の枚数に応じて構成すれば、釣銭として所定枚数の硬貨を硬貨収納カセット７内に容易に残すことができる。
【００１７】
また、硬貨収納カセット７内の硬貨を全て回収する場合は、上述のように背面カバー部１２を開放して露出した硬貨を回収した後、コインチューブ１５〜１９の最下層部を覆う下部移動体部１３をコインチューブ１５〜１９の上方にスライド移動し、カセット本体部１１のアーム部３１と下部移動体部１３の係合リブ部３５の係合を外して、下部移動体部１３およびこれと連結された背面カバー部１２をカセット本体部から取外し、下部移動体部１３に覆われていた残りの硬貨を露出させて回収する。このようにして全ての硬貨を容易に回収することができる。
【００１８】
なお、背面カバー部１２を開放して露出した硬貨を回収した後、その背面カバー部１２を再び閉じて元に戻し、背面カバー部１２をカセット本体部１１に係合した状態で、背面カバー部１２に連結された下部移動体部１３をコインチューブ１５〜１９の上方にスライド移動させ、下部移動体部１３と背面カバー部１２をカセット本体部１１に装着した状態で、コインチューブ１５〜１９の最下層部の硬貨を露出させて回収することもできる。これによれば、背面カバー部１２や下部移動体部１３をカセット本体部１１から取り外すことなく全ての硬貨を回収することができる。なお、これらのようにコインチューブ１５〜１９の最下層部に位置する下部移動体部１３を上方にスライド移動させることで、コインチューブ１５〜１９の底部において硬貨が載置されるコイン受部２８を露出させることができるから、その清掃を容易にすることができる。
【００１９】
以上のように、本発明の硬貨収納カセット７を備えた硬貨処理装置１においては、硬貨収納カセット７を硬貨処理装置１の本体から取外した後、その背面カバー部１２を支軸３２ａを介して回動することにより複数のコインチューブ１５〜１９を開放し、その内部に収容される硬貨を露出して回収し、さらに下部移動体部１３を上方にスライド移動することにより複数のコインチューブ１５〜１９の最下層部を開放し、そこに収容される硬貨を露出して回収することができるから、硬貨収納カセット７内に収納される全ての硬貨の回収を容易にすることができる硬貨処理装置を提供することができる。また、下部移動体部１３を上方にスライド移動することにより複数のコインチューブ１５〜１９の最下層部を開放し、その底面のコイン受部２８を露出させることができるから、各コインチューブ１５〜１９の底面を容易に清掃可能にして硬貨詰りを防止することができる硬貨処理装置を提供することができる。
【００２０】
また、下部移動体部１３が複数のコインチューブ１５〜１９の最下層部に位置するとき、背面カバー部１２を回動して複数のコインチューブ１５〜１９を開放することができるから、下部移動体部１３の位置する複数のコインチューブ１５〜１９の最下層部に対応する位置に所定枚数の釣銭硬貨を残してコインチューブ１５〜１９の開放部分に露出する硬貨を容易に回収することができる硬貨処理装置１を提供することができる。また、下部移動体部１３を複数のコインチューブ１５〜１９の最下層部から上方に移動するとき、背面カバー部１２を前記複数のコインチューブ１５〜１９を閉塞する状態に保持して上方に移動することができるから、複数のコインチューブ１５〜１９の最下層部に位置する硬貨を回収するときや、各コインチューブ１５〜１９の底面を成すコイン受部２８を清掃する場合に、背面カバー部１２や下部移動体部１３が本体から外れて紛失するようなことがなく、使い勝手の良い硬貨収容カセット７を備えた硬貨処理装置１を提供することができる。またこの場合、背面カバー部１２と下部移動体部１３を一遍に上方に移動し、複数のコインチューブ１５〜１９の最下層部から、硬貨自重等を利用して全ての硬貨を回収することもできるから、硬貨の回収を手間を掛けずにより簡単に行うこともできる。
なお、本発明は、言うまでもなく本実施の形態に示す装置にのみ限定されず、その趣旨の包含する範囲で応用変更が可能である。例えば、カセット本体部１１の背面側を開閉自在に覆う背面カバー部１２や、背面カバー部１２の下側にカセット本体部１１と対向して上下方向に移動自在に設けられる下部移動体部１３、あるいは、カセット本体部１１に設けられ背面カバー部１２をカセット本体部１１を覆う閉塞状態に保持する係合爪部２７、背面カバー部１２に設けられ係合爪部２７と係合する係合穴部２６等の形状や構成等は、本発明を実施する硬貨処理装置１の態様、構成に応じて適宜に設定されるものである。
【符号の説明】
【００２１】
１  硬貨処理装置
７  硬貨収納カセット外扉
１１  カセット本体部（複数のチューブの本体側）
１２  背面カバー部（蓋体部）
１３  下部移動体部
１５〜１９  コインチューブ（チューブ）
２６  係合穴部（係合保持部）
２７  係合爪部（係合部材）
２８  コイン受部
３２ａ  支軸
【図１】
0005678591.tif 000002
【図２】
0005678591.tif 000003
【図３】
0005678591.tif 000004